(57)【要約】      （修正有）【課題】部材や製造工程を削減することにより容易に作製でき、外観的に見栄えが優れると共に、状況に応じてベッドの一部を背もたれとして起伏させることができるベッドを提供する。【解決手段】弾力性を有するベッド本体２と、ベッド本体２内に配設され、ベッド本体２の一部を背もたれとして起伏させることが可能な内部構造体と、内部構造体に装着された脚部２０、２１とで構成されているベッド１。脚部は、内部構造体の、ベッド本体２の四隅に対応する個所と、角度調節機構１２に隣接する個所とに装着する。【選択図】図１
0003113094.tif 000002
【実用新案登録請求の範囲】
【請求項１】
弾力性を有するベッド本体と、該ベッド本体内に配設され、該ベッド本体の一部を背もたれとして起伏させることが可能な角度調節機構を備えた内部構造体と、該内部構造体に装着された脚部とで構成されていることを特徴とするベッド。
【請求項２】
前記脚部が、前記内部構造体の、前記ベッド本体の四隅に対応する個所と、前記角度調節機構に隣接する個所とに装着されている請求項１記載のベッド。
【考案の詳細な説明】
【技術分野】
【０００１】
本考案は、少ない部材で作製でき、外観的に見栄えが優れると共に、一部を背もたれとして起伏させることができる利便性の高いベッドに関する。
【背景技術】
【０００２】
従来、リクライニング機構を備えた折り畳みベッドにおいて、リクライニング機構や金属フレームを外から見えなくするとともに、これまでとは見た感じの異なる良好な外観を得られるような折り畳みベッドが知られている（特許文献１参照）。
上掲特許文献１の折り畳みベッドは、マット体の厚みを厚く形成し、上記マット体のうち少なくとも一つのマット体における厚み方向の中間部に、端部から切り込む切込みを形成するとともに、該切込みより上側の背もたれ部分を起伏させるリクライニング機構を内蔵したことを特徴としている。  
【特許文献１】実用新案登録第３０７１２０９号公報（第１-２頁、図１）
【考案の開示】
【考案が解決しようとする課題】
【０００３】
しかしながら、上掲特許文献１の折り畳みベッドにおいては、背もたれを起伏させるための電動リクライニング機構やマット本体の切込み、さらには転結杵や支持金具等の多くの部材が備えられており、それに伴い製造工程が多くなって、コスト高に繋がるという欠点があった。
【０００４】
そこで本考案の目的は、上記の点に鑑みて、部材や製造工程を削減することにより容易に作製でき、外観的に見栄えが優れると共に、状況に応じてベッドの一部を背もたれとして起伏させることができる利便性の高いベッドを提供することにある。
【課題を解決するための手段】
【０００５】
上記課題を解決するために本考案のベッドは、弾力性を有するベッド本体と、該ベッド本体内に配設され、該ベッド本体の一部を背もたれとして起伏させることが可能な角度調節機構を備えた内部構造体と、該内部構造体に装着された脚部とで構成されていることを特徴とする。また、前記脚部は、前記内部構造体の、前記ベッド本体の四隅に対応する個所と、角度調節機構に隣接する個所とに装着することが好ましい。
【考案の効果】
【０００６】
本考案のベッドは、弾力性を有するベッド本体と、ベッド本体内に配設された内部構造体と、内部構造体に装着された脚部とで構成されているため、部材や製造工程が少なく、簡便に作製できる。また、内部構造体に角度調節機構を設けたことで、ベッドの一部を容易に背もたれとして起伏させることができる。さらに、内部構造体がベッド本体内に配設されているので、金属部分が露出せず、外観的な見栄えにも優れるという利点がある。
【考案を実施するための最良の形態】
【０００７】
以下、本考案のベッドの実施の形態を図面に基づいて説明する。
図１および図２に示すベッド１は、弾力性を有するベッド本体２と、かかるベッド本体２内に配設され、ベッド本体２の一部を背もたれＡとして起伏させることが可能な内部構造体１０と、内部構造体１０に装着された脚部２０、２１とで構成されている。
【０００８】
ベッド本体２は、ウレタン素材等からなる弾力性を有するクッション材３と、かかるクッション材３を被覆するカバー４とで構成されている。ベッド本体２は、内部構造体１０の周囲を被覆した状態で一体的に設けられるので、多くの部材や製造工程が軽減され、コスト削減が実現できる。また、ベッド本体２は、全体の厚みが２０ｃｍ程度の肉厚状に形成されているため、外観的見栄えを高めることもできる。
【０００９】
また、前記ベッド本体２の内部には、ベッド本体２の一部を背もたれＡ（図３参照）として起伏させることが可能な内部構造体１０が配設されている。かかる内部構造体１０は、中空状の金属パイプにて形成された枠体１１と、枠体１１の適宜個所に一対で装着された角度調節機構１２と、角度調節機構１２の近傍に跨設された補強用パイプ１３にて形成されている。これにより、角度調節機構１２、例えば図示するような金具にて、枠体１１の一端を起伏させることで、ベッドの一部を背もたれＡとして使用することができる。また、前記枠体１１間には、複数の補強軸１８が跨設されている。
【００１０】
また、図示するように、前記枠体１１の、ベッド本体２の四隅に対応する個所には、脚部２０を着脱自在に装着可能な固定板１４が、補強用パイプ１３の両端には、脚部２１を着脱自在に装着可能な固定板１５が、夫々固定されている。さらに、これら固定板１４、１５には、脚部２０、２１の螺子部２２と螺着する螺子孔１６、１７が穿孔されている。
【００１１】
脚部２０、２１は、強度の高い金属にて円筒状に作製されており、上部中央には、固定板１４、１５の螺子孔１６、１７に螺着される螺子部２２が突設されている。また特に、脚部２０は、枠体１１の、ベッド本体２の四隅に対応する個所に、脚部２１は、補強用パイプ１３の両端、すなわち、角度調節機構１２に隣接する個所に、全部で６本装着されている。そのため、図３および図４に示すように、角度調節機構１２にて枠体１１を起立させた場合、枠体１１に装着した脚部２０と補強用パイプ１３の両端に装着した脚部２１とで、ベッド１を支えることができる。
【００１２】
次に、本考案のベッドの使用方法を図５及び図６に基づいて説明する。
図５においては、角度調節機構１２にて内部構造体１０を水平状態に保持し、汎用のベッドとして使用する状態を示す。この際、ベッド１は４本の脚部２０と２本の脚部２１にて支えられる。
【００１３】
図６においては、角度調節金具１２にて枠体１１の一部を起立させ、背もたれＡを形成させた状態を示す。背もたれＡを形成することで、ベッド上でのテレビ鑑賞や読書を楽な姿勢で行うことができる。また、療養中の患者や高齢者においては、ベッド上での飲食も可能となる。なおこの状態で、ベッド１は、枠体１１の脚部２０と補強用パイプ１３の脚部２１とで支えられている。
【図面の簡単な説明】
【００１４】
【図１】本考案のベッドの全体斜視図である。
【図２】前記ベッドの内部構造体を示す全体斜視図である。
【図３】ベッドの背もたれを起立させた状態を示す。
【図４】ベッドの背もたれを起立させた状態の内部構造体を示す。
【図５】ベッドを水平状態に保持した状態の使用例である。
【図６】背もたれを起立させた状態の使用例である。
【符号の説明】
【００１５】
１    ベッド
２    ベッド本体
３    クッション材
４    カバー
１０  内部構造体
１１  枠体
１２  角度調節機構（角度調節金具）
１３  補強用パイプ
１４  固定板
１５  固定板
１６  螺子孔
１７  螺子孔
１８  補強軸
２０  脚部
２１  脚部
２２  螺子部
Ａ    背もたれ
【図１】
0003113094.tif 000003
【図２】
0003113094.tif 000004
【図３】
0003113094.tif 000005
【図４】
0003113094.tif 000006
【図５】
0003113094.tif 000007
【図６】
0003113094.tif 000008